(57)【要約】【課題】合成樹脂製の型材を備えつつも温度変化が生じても伸縮し難い型材ユニット等を提供する。【解決手段】壁部を有する合成樹脂製の型材と、前記型材を補強し前記壁部の厚み方向の一方側の面に設けられて前記型材より線膨張係数が小さな補強部材と、前記壁部の厚み方向の他方側の面に設けられ前記型材に接着され、前記型材より線膨張係数が小さな被接着部材と、を有し、前記被接着部材は、接着されている部位において、前記型材を貫通する固着具により前記補強部材に固着されている。【選択図】図３
2019090183.tif 000002
【特許請求の範囲】
【請求項１】
壁部を有する合成樹脂製の型材と、
前記型材を補強し前記壁部の厚み方向の一方側の面に設けられて前記型材より線膨張係数が小さな補強部材と、
前記壁部の厚み方向の他方側の面に設けられ前記型材に接着され、前記型材より線膨張係数が小さな被接着部材と、
を有し、
前記被接着部材は、接着されている部位において、前記型材を貫通する固着具により前記補強部材に固着されていることを特徴とする型材ユニット。
【請求項２】
請求項１に記載の型材ユニットであって、
前記被接着部材は、複数設けられており、
複数の前記被接着部材は、少なくとも前記型材の長手方向における両端部に配置されていることを特徴とする型材ユニット。
【請求項３】
請求項１または請求項２に記載の型材ユニットを有する障子であって、
一対の前記型材ユニットが、前記型材の長手方向と交差する方向に互いに間隔を空けて配置され、
前記一対の型材ユニットの両端部間を連結する他の型材と、
前記被接着部材とが、前記他の型材にビスにより固定されて框組みされている框体を備えていることを特徴とする障子。
【請求項４】
請求項３に記載の障子であって、
前記框体の内周側に備えられる面材を有し、
前記框体は、内周側が開放されて外周側に窪み、前記面材の周端部が収容される面材収容部を備え、
前記被接着部材の接着されている部位は、前記面材収容部に設けられていることを特徴とする障子。
【請求項５】
請求項３または請求項４に記載の障子と、
前記障子が装着される枠体と、
を備えていることを特徴とする建具。
【発明の詳細な説明】
【技術分野】
【０００１】
本発明は、型材ユニット、障子及び建具に関する。
【背景技術】
【０００２】
合成樹脂製の型材としては、例えば、合成樹脂製の窓枠を構成し、押出成形されて押出方向に長く形成された上枠、下枠及び左右の縦枠等が知られている（例えば、特許文献１参照）。
【先行技術文献】
【特許文献】
【０００３】
【特許文献１】特許第３２０５４９３号公報
【発明の概要】
【発明が解決しようとする課題】
【０００４】
上記のような上枠、下枠及び左右の縦枠は、温度変化等により伸縮する。このため、例えば、上枠及び下枠と左右の縦枠とがビスにより接合されて枠組みされた窓枠が温度変化により伸縮すると、上枠及び下枠または左右の縦枠に設けられビスが貫通するビスホールの縁がビスにより押圧され、応力が集中によりビスホールが押し広げられて、上枠及び下枠と左右の縦枠とが相対移動するため、上枠及び下枠と左右の縦枠の伸縮を抑えることができないという課題がある。
【０００５】
本発明は、かかる課題に鑑みてなされたものであり、その目的とするところは、合成樹脂製の型材を備えつつも温度変化が生じても伸縮し難い型材ユニット、障子及び建具を提供することにある。
【課題を解決するための手段】
【０００６】
かかる目的を達成するために本発明の型材ユニットは、壁部を有する合成樹脂製の型材と、前記型材を補強し前記壁部の厚み方向の一方側の面に設けられて前記型材より線膨張係数が小さな補強部材と、前記壁部の厚み方向の他方側の面に設けられ前記型材に接着され、前記型材より線膨張係数が小さな被接着部材と、を有し、前記被接着部材は、接着されている部位において、前記型材を貫通する固着具により前記補強部材に固着されていることを特徴とする型材ユニットである。
【０００７】
このような型材ユニットによれば、固着具が貫通する部位は、型材より線膨張係数が小さな被接着部材が型材に接着されている部位なので、たとえ型材が温度変化等により伸縮する場合であっても型材には応力が固着具と接触する部位に集中せず、接着された部位全体に応力が作用する。このため、固着具が貫通している孔は押し広げられず、型材が補強部材とは別に伸縮することはないので、合成樹脂製の型材を備えつつも温度変化が生じても伸縮し難い型材ユニットを提供することが可能である。
【０００８】
かかる型材ユニットであって、前記被接着部材は、複数設けられており、複数の前記被接着部材は、少なくとも前記型材の長手方向における両端部に配置されていることが望ましい。
【０００９】
このような型材ユニットによれば、被接着部材は、複数設けられているので、型材ユニットの温度が変化しても、互いに隣り合う被接着部材間の間隔の変化は小さい。また、被接着部材は、少なくとも型材の長手方向における両端部に設けられて、型材の端部において伸縮を抑えているので、より確実に型材の伸縮を抑えることが可能である。
【００１０】
また、前記型材ユニットを有する障子であって、一対の前記型材ユニットが、前記型材の長手方向と交差する方向に互いに間隔を空けて配置され、前記一対の型材ユニットの両端部間を連結する他の型材と、前記被接着部材とが、前記他の型材にビスにより固定されて框組みされている框体を備えていることを特徴とする障子である。
このような障子によれば、框体は、一対の型材ユニットの各被接着部材が他の型材とビスにより連結されて形成されているので、変形し難い框体を備えた障子を提供することが可能である。
【００１１】
かかる障子であって、前記框体の内周側に備えられる面材を有し、前記框体は、内周側が開放されて外周側に窪み、前記面材の周端部が収容される面材収容部を備え、前記被接着部材の接着されている部位は、前記面材収容部に設けられていることが望ましい。
【００１２】
このような障子によれば、型材ユニットと他の型材とを連結する被接着部材の接着されている部位は、框体の内周側に設けられた面材収容部に配置されるので、框体に面材が装着された際には、被接着部材及び接着剤は外部に露出しない。このため、温度変化により変形し難く意匠性にも優れた障子を提供することが可能である。
【００１３】
また、前記障子と、前記障子が装着される枠体と、を備えていることを特徴とする建具である。
このような建具によれば、温度変化により変形し難く、意匠性にも優れた障子を備えた建具を提供することが可能である。
【発明の効果】
【００１４】
本発明によれば、合成樹脂製の型材を備えつつも温度変化が生じても伸縮し難い型材ユニット、障子及び建具を提供することが可能である。
【図面の簡単な説明】
【００１５】
【図１】本実施形態に係る建具の縦断面図である。
【図２】本実施形態に係る建具の横断面図である。
【図３】戸先框と上框との接合部の構成を示す斜視図である。
【図４】戸先框と下框との接合部の構成を示す斜視図である。
【図５】戸先框と下框とが連結金具を用いて接合される状態を示す斜視図である。
【図６】戸先框と下框とが連結金具を用いて接合された状態を示す縦断面図である。
【図７】図６におけるＡＢＣＤ断面図である。
【発明を実施するための形態】
【００１６】
以下、本発明の一実施形態に係る型材ユニット、障子及び建具について図面を参照して説明する。
本実施形態では、図１、図２に示すように、開口を形成する合成樹脂製の枠体２と、枠体２の内周側に配置されて支持されている内障子３及び外障子４を備える引き違い窓用の建具１を例に挙げて説明する。
【００１７】
以下の説明においては、建物等に取り付けられた建具１を室内側から見たときに、上下となる方向を上下方向、左右となる方向を左右方向、室内外方向である奥行き方向を見込み方向として示す。また、建具１の各部位であっても、また、建具１を構成する各部材については単体の状態であっても、建具１が取り付けられた状態で上下方向、左右方向、見込み方向となる方向にて方向を特定して説明する。
【００１８】
本実施形態の建具１は、上下の横枠２ａ、２ｂと左右の縦枠２ｃとが矩形状に接合されて開口を形成する枠体２が躯体に固定されている。枠体２には、内周側に全周に渡って突出する突部２ｄが設けられている。上下の横枠２ａ、２ｂに設けられている突部２ｄは、内障子３及び外障子４に設けられている上凹部３ａ、４ａ及び下凹部３ｂ、４ｂに挿入されて内障子３及び外障子４が案内されるレールをなしており、左右の縦枠２ｃに設けられた突部２ｄは、内障子２及び外障子３の戸先框３１、４１に設けられた戸先凹部３ｃ、４ｃに挿入されるように構成されている。
【００１９】
内障子３及び外障子４の上凹部３ａ、４ａ、下凹部３ｂ、４ｂ及び戸先凹部３ｃ、４ｃには、各々収容されている突部２ｄに当接され、繊維が起毛状に設けられた、所謂モヘアと呼ばれる気密材５が、見込み方向において互いに対向する方向にそれぞれ設けられ、内障子３及び外障子４を閉じたときに枠体２と、内障子３及び外障子４との間の気密性が保たれている。また、内障子３及び外障子４の召合せ部も外障子４の召合せ框４２に設けられている気密材５が内障子３の召合せ框３２に当接されて気密性が保たれている。
【００２０】
内障子３及び外障子４は、上框３３、４３及び下框３４、４４をなす一対の横框と、戸先框３１、４１及び召合せ框３２、４２をなす一対の縦框とが矩形状に接合されている框体３０、４０と、框体３０、４０の内周側に端部が収容されるとともに各框材３１、３２、３３、３４、４１、４２、４３、４４に接着されている面材としての複層ガラス６と、を有している。
【００２１】
上框３３、４３、下框３４、４４、戸先框３１、４１及び召合せ框３４、４４は、いずれも各々の長手方向を押出方向として押出成形された合成樹脂製の型材であり、本実施形態の内障子３及び外障子４は、戸先框３１、４１及び召合せ框３２、４２が上框３３、４３及び下框３４、４４より長く形成されている。
内障子３及び外障子４の構成、及び作用効果は同じなので、以下では、外障子４を例に挙げて主に説明し、内障子３については説明を省略する。
【００２２】
外障子４の框体４０をなす上框４３、下框４４、戸先框４１及び召合せ框４２にはそれぞれ、各々の長手方向に貫通する中空部４１ａ、４２ａ、４３ａ、４４ａと、中空部４１ａ、４２ａ、４３ａ、４４ａより内周側に設けられ、框体４０の内周側が開放されて外周側に窪み複層ガラス６の周端部が収容される面材収容部としてのガラス収容部４１ｂ、４２ｂ、４３ｂ、４４ｂと、が設けられている。また、上框４３、下框４４及び戸先框４１には、中空部４１ａ、４３ａ、４４ａの外周側に設けられ、框体４０の外周側が開放されて内周側に窪み枠体２の突部２ｄが収容される、前述した上凹部４ａ、下凹部４ｂ、戸先凹部４ｃが設けられている。
【００２３】
図３〜図５に示すように、戸先框４１の見込み方向の幅Ｗ１は、上框４３及び下框４４の見込み方向の幅Ｗ２より僅かに広く形成されており、戸先框４１のガラス収容部４１ｂの開放されている端部には、ガラス収容部４１ｂの奥側より広く、上框４３及び下框４４が入り込み上框４３及び下框４４の縁４３ｃ、４４ｃが当接される凹部４１ｄが設けられている。この凹部４１ｄに上框４３及び下框４４の端部が挿入される量Ｌは、温度等により上框４３及び下框４４が収縮する量より大きく形成されている。このため、上框４３及び下框４４が温度変化により収縮しても上框４３及び下框４４の縁が戸先框４１の外側に露出しない。また、図示していないが、召合せ框４２も戸先框４１と同様に形成されている。
【００２４】
以下、框体３０、４０において縦框である戸先框３１、４１及び召合せ框３２、４２と横框である上框３３、４３及び下框３４、４４との接合構造を、外障子４の戸先框４１と下框４４とを接合するする例について説明するが、その他の縦框と横框との接合構造も同様である。
【００２５】
戸先框４１の中空部４１ａには、３つの平板部７ａ、７ｂ、７ｃが、断面がほぼコ字状をなすように繋り、合成樹脂より線膨張係数が小さな、例えば金属製の補強部材７が設けられている。補強部材７は、コ字状をなす３つの平板部７ａ、７ｂ、７ｃのうちの互いに対向する２つの平板部７ａ、７ｂが中空部４１ａとガラス収容部４１ｂとの境界をなす壁部４１ｅと中空部４１ａと戸先凹部４ｃとの境界をなす壁部４１ｆに沿い、２つの平板部７ａ、７ｂを繋ぐ平板部７ｃが室外側に位置するように配置されている。
【００２６】
戸先框４１の長手方向における両端部には、各小口を覆う小口部材８がそれぞれ設けられている。小口部材８は、小口を覆う本体部８１と、本体部８１から戸先框４１の長手方向における中央側に突出し中空部４１ａに挿入される戸先挿入部８２と、を有している。
【００２７】
本体部８１は、内障子３及び外障子４が枠体２に装着された際に、枠体２の突部２ｄが挿入される突部挿入凹部８１ａを有している。突部挿入凹部８１ａは、接合される上框４３及び下框４４の長手方向に沿う方向に溝状をなしており、上框４３及び下框４４の長手方向に沿う方向から見たときに、戸先框４１の端部側が開放されたＵ字状をなしている。Ｕ字状をなす開放側の端部には、見込み方向において互いに対向する方向に突出させるとともに上框４３及び４４の長手方向に沿ってモヘアと呼ばれる気密材５が設けられる気密材嵌合部８１ｂが設けられている。
【００２８】
戸先挿入部８２には、戸先框４１の中空部４１ａに挿入される部位に、戸先框４１の中空部４１ａを形成している内周側の壁部４１ｆに嵌合される嵌合片８２ａが設けられている。
【００２９】
下框４４は、金属製の板材がＬ字状に屈曲されている連結金具１０により、戸先框４１と接合されている。連結金具１０は、ほぼ直交する２つの板部１０ａ、１０ｂを有している。連結金具１０は、戸先框４１と下框４４との接合部において各々ガラス収容部４１ａ、４４ａに渡るように配置され、一方の板部１０ａが戸先框４１の中空部４１ａとガラス収容部４１ｂとの境界をなす壁部４１ｅと対面し、他方の板部１０ｂが下框４４の中空部４４ａと下凹部４ｂとの境界をなす壁部４４ｄと対面している。
【００３０】
一方の板部１０ａは、図６、図７に示すように、壁部４１ｅに接着剤１１により接着されるとともに、板部１０ａを貫通し、壁部４１ｅに設けられた貫通孔４１ｇに挿通された固着具としてのビス９が、框体４０の内周側から中空部４１ａ内に設けられている補強部材７の平板部７ａに螺合されて固定されている。ここで、連結金具１０が、合成樹脂より線膨張係数が小さな被接着部材に相当し、連結金具１０の一方の板部１０ａが、被接着部材の接着されている部位に相当する。また、戸先框４１の中空部４１ａとガラス収容部４１ｂとの境界をなす壁部４１ｅが、合成樹脂製の型材が有する壁部であって、厚み方向の一方側の面に補強材が設けられ、厚み方向の他方側の面に被接着部材が設けられている壁部に相当する。
【００３１】
他方の板部１０ｂは、中空部４４ａに挿入されて壁部４４ｄに当接された状態で、壁部４４ｄに設けられた貫通孔４４ｅに外周側から挿通されたビス９が螺合されて固定されている。板部１０ａと壁部４１ｅとを接着する接着材としては、たとえば、セメダイン株式会社製  Ｙ６１８Ｈ等のアクリル系接着材が挙げられるが、これに限らず、接着強度が、型材の伸縮を抑制する力を上回るものであれば構わない。
【００３２】
そして、戸先框４１と上框４３と、召合せ框４２と上框４３及び下框４４とも同様に、戸先框４１及び召合せ框４２の中空部４１ａ、４２ａとガラス収容部４１ｂ、４１ｂとの境界をなす壁部４１ｅ、４２ｅに板部１０ａが接着されるとともにビス止めされ、上框４３及び下框４４の中空部４３ａ、４４ａと上凹部４ａ及び下凹部４ｂとの境界をなす壁部４３ｄ、４４ｄに板部１０ｂがビス止めされている。このように接合される框のうちの長さが長い方向の框、本実施形態においては戸先框４１及び召合せ框４２に連結金具１０の板部１０ａが接着されてビス止めされている。
【００３３】
本実施形態では、中空部４１ａ、４２ａに補強部材７が設けられている戸先框４１及び召合せ框４２の両端部側に連結金具１０が接着され、接着された連結金具１０が補強部材７にビス止めされている状態が戸先型材ユニット４０ａ及び召合せ型材ユニット４０ｂに相当する。また、上框４３及び下框４４が戸先型材ユニット４０ａ及び召合せ型材ユニット４０ｂの両端部間を連結する他の型材に相当する。
【００３４】
本実施形態の戸先型材ユニット４０ａ及び召合せ型材ユニット４０ｂによれば、壁部４１ｅ、４２ｅには、戸先框４１及び召合せ框４２においてビス９が貫通する戸先框４１及び召合せ框４２より線膨張係数が小さな連結金具１０が接着されているので、たとえ戸先框４１及び召合せ框４２が温度変化等により伸縮する場合にビス９を押圧しても戸先框４１及び召合せ框４２のビス９が接触する部位に応力が集中しない。このため、ビス９が貫通している貫通孔４１ｇは押し広げられず、戸先框４１及び召合せ框４２が補強部材７とは別に伸縮することはないので、合成樹脂製の戸先框４１及び召合せ框４２を備えつつも温度変化が生じても伸縮し難い戸先型材ユニット４０ａ及び召合せ型材ユニット４０ｂを提供することが可能である。
【００３５】
また、連結金具１０は、戸先框４１及び召合せ框４２の両端部に設けられているので、戸先型材ユニット４０ａ及び召合せ型材ユニット４０ｂの温度が変化しても、両端部に設けられた連結金具１０間の間隔の変化は小さい。このため、戸先框４１及び召合せ框４２の端部において伸縮が抑えられているので、戸先框４１及び召合せ框４２のほぼ全長に渡って伸縮を抑えることが可能である。
【００３６】
また、上記戸先型材ユニット３０ａ、４０ａ及び召合せ型材ユニット３０ｂ、４０ｂを用いた内障子３及び外障子４によれば、框体３０、４０は、戸先型材ユニット３０ａ、４０ａ及び召合せ型材ユニット３０ｂ、４０ｂと上框３３、４３及び下框３４、４４とが連結金具１０を介してビス９により連結されているので、変形し難い框体３０、４０を備えた内障子３及び外障子４を提供することが可能である。
【００３７】
また、戸先型材ユニット３０ａ、４０ａ及び召合せ型材ユニット３０ｂ、４０ｂと上框３３、４３及び下框３４、４４とを連結する連結金具１０は、一方の板部１０ａが、框体３０、４０の内周側をなる、戸先框３１、４１及び召合せ框３２，４２に設けられたガラス収容部３１ｂ、３２ｂ、４１ｂ、４２ｂに、他方の板部１０ｂが上框３３、４３及び下框３４、４４の中空部３３ａ、３４ａ、４３ａ、４４ａに配置されるので、框体３０、４０に複層ガラス６が装着された際には、連結金具１０及び接着剤１１は外部に露出しない。このため、温度変化により変形し難く意匠性にも優れた内障子３及び外障子４を提供することが可能である。
【００３８】
また、上記戸先型材ユニット３０ａ、４０ａ及び召合せ型材ユニット３０ｂ、４０ｂを用いた内障子３及び外障子４を備え建具１によれば、温度変化により変形し難く、意匠性にも優れた建具１を提供することが可能である。また、内障子３及び外障子４が備える框体３０、４０が温度変化による変形が生じ難いので、温度変化が生じても内障子３及び外障子４の上凹部３ａ、４ａ、下凹部３ｂ、４ｂ及び戸先凹部３ｃ、４ｃに各々収容されている突部２ｄに、気密材５が当接されている状態が維持される。このため、より気密性に優れた建具１を提供することが可能である。
【００３９】
上記実施形態においては、型材ユニットを戸先框４１及び召合せ框４２に適用した例について説明したが、これに限らず、上框４３、下框４４や枠体を形成する上下の横枠、左右の縦枠に適用しても構わない。また、建具に限らず、例えばカーポートやテラス屋根などの、柱や垂木等に適用しても構わない。
【００４０】
上記実施形態においては、被接着部材をＬ字状の連結金具１０とした例について説明したが、これに限らず型材より線膨張係数が小さく接着面積が、ビスの貫通孔より十分に広い部材であれば平板であっても構わない。また、上記実施形態においては、戸先框４１及び召合せ框４２長手方向における両端部にそれぞれ連結金具１０の板部１０ａが接着されてビス止めされている例について説明したが、被接着部材は、２箇所より多く複数設けられていても良い。
【００４１】
上記実施形態においては、内障子３及び外障子４を備える引き違い窓用の建具１を例に挙げて説明したが、これに限らず、例えば、開き戸、辷り出し窓用の障子など、縦框と横框とが矩形状に接合される框体を備える障子及び建具であれば構わない。
【００４２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４３】
１  建具、２  枠体、３  内障子、４  外障子、６  複層ガラス、７  補強部材、
９  ビス、１０  連結金具、１０ａ  板部、３０  框体、３０ａ  戸先型材ユニット、
３０ｂ  召合せ型材ユニット、３１  戸先框、３１ｂ  ガラス収容部、
３２  召合せ框、３３  上框、３４  下框、４０  框体、４０ａ  戸先型材ユニット、
４０ｂ  召合せ型材ユニット、４１  戸先框、４１ｂ  ガラス収容部、
４２  召合せ框、４３  上框、４４  下框、
【図１】
2019090183.tif 000003
【図２】
2019090183.tif 000004
【図３】
2019090183.tif 000005
【図４】
2019090183.tif 000006
【図５】
2019090183.tif 000007
【図６】
2019090183.tif 000008
【図７】
2019090183.tif 000009